(57)【要約】【課題】使用状態に応じて複数の音声信号を選択的に入出力することができる通信装置を提供する。【解決手段】通信装置としてのヘッドホン１は、音声信号が入力される音声／リモコン信号線１２と、音声／リモコン信号線１２に入力した音声信号を出力するスピーカユニット１１Ｌ、１１Ｒと、外部高周波結合器と電界結合することで通信する高周波結合器１０と、高周波結合器１０が外部高周波結合器と通信を確立したことを検出すると、音声信号の入力を音声／リモコン信号線１２から高周波結合器１０に切り替えるオーディオパス切替部１３ｃとを有する。【選択図】図３
2010050674.tif 000002
【特許請求の範囲】
【請求項１】
第１の音声信号が入力される音声信号入力部と、
外部高周波結合器と電界結合することで通信し、前記外部高周波結合器から入力される高周波信号に基づく第２の音声信号を入力する高周波結合器と、
前記第１の音声信号、又は前記第２の音声信号を出力する出力部と、
前記高周波結合器と前記外部高周波結合器との通信状態に基づいて、前記出力部の出力を前記第１の音声信号、又は前記第２の音声信号のいずれかに切り替える切替部とを有することを特徴とする通信装置。
【請求項２】
前記切替部は、前記高周波結合器と前記外部高周波結合器とが通信を行うときは、前記出力部の出力を前記第２の音声信号に切り替え、前記高周波結合器と前記外部高周波結合器とが通信を行わないときは、前記出力部の出力を前記第１の音声信号に切り替えることを特徴とする請求項１に記載の通信装置。
【請求項３】
第３の音声信号が入力される送話部と、
第４の音声信号を出力する受話部と、
外部高周波結合器と電界結合することで通信し、第５の音声信号を高周波信号に変換して出力する高周波結合器と、
前記第３の音声信号を通話信号として外部に送信するとともに、外部から受信した通話信号を再生して前記第４の音声信号又は前記第５の音声信号として出力する音声信号処理部と、
前記高周波結合器と前記外部高周波結合器との通信状態に基づいて、前記音声信号処理部の出力を前記第４の音声信号又は前記第５の音声信号のいずれかに切り替える切替部とを有することを特徴とする通信装置。
【請求項４】
前記高周波結合器は、外部高周波結合器と電界結合することで通信し、前記外部高周波結合器から高周波信号に基づく第６の音声信号を入力し、
前記音声信号処理部は、前記第３の音声信号又は前記第６の音声信号を通話信号として外部に送信し、
前記切替部は、前記高周波結合器と前記外部高周波結合器との通信状態に基づいて、前記音声信号処理部の入力を前記第３の音声信号又は前記第６の音声信号のいずれかに切り替えることを特徴とする請求項３に記載の通信装置。
【請求項５】
音声情報を再生して第７の音声信号を出力する音声信号処理部と、
外部高周波結合器と電界結合することで通信し、前記外部高周波結合器から入力される高周波信号に基づく第８の音声信号を入力する高周波結合器と、
前記第７の音声信号、又は前記第８の音声信号を出力する音声信号出力部と、
前記高周波結合器と前記外部高周波結合器との通信状態に基づいて、前記音声信号出力部の出力を前記第７の音声信号又は前記第８の音声信号のいずれかに切り替える切替部とを有することを特徴とする通信装置。
【請求項６】
前記高周波結合器は、認証処理を省略して前記外部高周波結合器と通信を開始することを特徴とする請求項１、３、又は５に記載の通信装置。
【発明の詳細な説明】
【技術分野】
【０００１】
本発明は、通信装置に関する。
【背景技術】
【０００２】
従来、誘導コイルを備えた携帯電話から音声信号を受信する通信装置が知られている（例えば、特許文献１参照）。
【０００３】
この通信装置は、携帯電話の音声信号を受信するテレホンコイルと、テレホンコイルの信号を増幅するアンプと、アンプによって増幅された信号を音声に変換して出力するスピーカとを有し、誘導コイルを備えた携帯電話を近接させることでテレホンコイルと誘導コイルとを磁気結合させて、携帯電話の音声信号を通信装置のスピーカから出力することができる。例えば、この通信装置を補聴器に適用することで、利用者は、補聴器を装着したまま携帯電話で通話をすることができる。
【特許文献１】特開２００７−３２５０４２号公報
【発明の開示】
【発明が解決しようとする課題】
【０００４】
しかし、従来の通信装置によると、補聴器に適用した場合、補聴器機能部から入力される信号と、テレホンコイルから入力される信号とが重畳されてアンプにおいて増幅され、信号がスピーカにおいて変換されることで、スピーカから２つの入力が重畳された音声が出力されるため、一方の音声と他方の音声との聞き分けが困難になるおそれがある。
【０００５】
従って、本発明の目的は、使用状態に応じて複数の音声信号を選択的に入出力することができる通信装置を提供することにある。
【課題を解決するための手段】
【０００６】
（１）本発明の一実施形態は上記目的を達成するため、第１の音声信号が入力される音声信号入力部と、外部高周波結合器と電界結合することで通信し、前記外部高周波結合器から入力される高周波信号に基づく第２の音声信号を入力する高周波結合器と、前記第１の音声信号、又は前記第２の音声信号を出力する出力部と、前記高周波結合器と前記外部高周波結合器との通信状態に基づいて、前記出力部の出力を前記第１の音声信号、又は前記第２の音声信号のいずれかに切り替える切替部とを有することを特徴とする通信装置を提供する。
【０００７】
上記した構成によれば、高周波結合器が外部と通信を開始すると、音声信号の入力を音声信号入力部から高周波結合器に切り替えるため、出力部から出力される音声信号が重畳されることなく出力され、出力される音声の聞き分けが容易となる。
【０００８】
（２）また、本発明の一実施形態は上記目的を達成するため、第１の音声信号が入力される送話部と、第２の音声信号を出力する受話部と、外部高周波結合器と電界結合することで通信し、第３の音声信号を高周波信号に変換して出力する高周波結合器と、前記第１の音声信号を通話信号として外部に送信するとともに、外部から受信した通話信号を再生して前記第２の音声信号又は前記第３の音声信号として出力する音声信号処理部と、前記高周波結合器と前記外部高周波結合器との通信状態に基づいて、前記音声信号処理部の出力を前記第２の音声信号又は前記第３の音声信号のいずれかに切り替える切替部とを有することを特徴とする通信装置を提供する。
【０００９】
上記した構成によれば、高周波結合器が外部と通信を開始すると、音声信号処理部において通話信号を再生して出力される音声信号の出力を受話部から高周波結合器に切り替えるため、外部の高周波結合器を備える機器において通話信号に基づく音声信号を出力することができる。
【００１０】
（３）また、本発明は上記目的を達成するため、第７の音声信号を再生する音声信号処理部と、外部高周波結合器と電界結合することで通信し、前記外部高周波結合器から入力される高周波信号に基づく第８の音声信号を入力する高周波結合器と、前記第７の音声信号、又は前記第８の音声信号を出力する音声信号出力部と、前記高周波結合器と前記外部高周波結合器との通信状態に基づいて、前記音声信号出力部の出力を前記第７の音声信号又は前記第８の音声信号のいずれかに切り替える切替部とを有することを特徴とする通信装置を提供する。
【００１１】
上記した構成によれば、高周波結合器が外部と通信を開始すると、音声信号出力部が出力する音声信号を、音声信号処理部が再生して出力する音声信号から高周波結合器に入力する音声信号に切り替えるため、外部の高周波結合器を備える機器において再生される音声信号を音声出力部から出力することができる。
【発明の効果】
【００１２】
本発明によれば、使用状態に応じて複数の音声信号を選択的に入出力することができる。
【発明を実施するための最良の形態】
【００１３】
以下に、本発明の通信装置の実施の形態を、図面を参照して詳細に説明する。
【００１４】
［第１の実施の形態］
（通信システムの構成）
図１は、第１の実施の形態に係る通信システムの構成例を示す概略図である。
【００１５】
通信システム１００Ａは、音声再生装置３Ａに接続されて音声を出力するとともに、通信装置として機能するヘッドホン１Ａと、携帯電話として機能するとともに、通信装置として機能する携帯電話２Ａとから構成される。
【００１６】
ヘッドホン１Ａは、利用者の左耳に装着される左耳側筐体１Ｄと、利用者の右耳に装着される右耳側筐体１Ｅと、左耳側筐体１Ｄと右耳側筐体１Ｅとを連結するとともに電気的に接続するヘッドバンド１Ｃとを有し、音声／リモコン信号線１２によって音声再生装置３Ａに接続される。左耳側筐体１Ｄは、外部機器の高周波結合器と電界結合し、高周波信号によって通信する高周波結合器１０と、音声を出力する出力部としてのスピーカユニット１１Ｌと、入力部としての音声／リモコン信号線１２とを有する。右耳側筐体１Ｅは、音声を出力する出力部としてのスピーカユニット１１Ｒを有する。
【００１７】
携帯電話２Ａは、高周波結合器１０と通信する高周波結合器２０と、携帯電話として機能する際に通話相手の音声を出力する出力部としてのスピーカを内蔵した受話口２１と、携帯電話として機能する際に通話相手に対する音声が入力される入力部としてのマイクを内蔵する送話口２２と、文字や画像等を表示する表示部２３と、複数のスイッチよりなる操作部２４とを有する。
【００１８】
なお、本実施の形態において、ヘッドホン１Ａの高周波結合器１０と携帯電話２Ａの高周波結合器２０との通信は、近距離、例えば、３ｃｍ以内で可能であり、通信開始の際は、ペアリングや通信信号の暗号化等の認証処理を実施しないものとする。
【００１９】
音声再生装置３Ａは、例えば、ＨＤＤ（Ｈａｒｄ  Ｄｉｓｃ  Ｄｒｉｖｅ）やフラッシュメモリ等を備えたＭＰ３（ＭＰｅｇ  ａｕｄｉｏ  ｌａｙｅｒ−３）プレーヤ等であり、音声／リモコン信号線１２を介してヘッドホン１Ａに対して音声信号を出力する。
【００２０】
（通信装置の構成）
図２は、第１の実施の形態に係る通信装置の構成例を示す断面図である。
【００２１】
ヘッドホン１Ａは、左耳側筐体１Ｄに、高周波結合器１０と、スピーカユニット１１Ｌと、音声／リモコン信号線１２とを有するとともに、ヘッドホン１Ａの動作を制御するＣＰＵ（Ｃｅｎｔｒａｌ  Ｐｒｏｃｅｓｓｉｎｇ  Ｕｎｉｔ）やメモリ等の電子部品を実装した主回路基板１３とを有する。また、右耳側筐体１Ｅに、スピーカユニット１１Ｒを有するとともに、ヘッドホン１Ａの電力供給を制御する電源回路基板１４と、受放電可能なリチウムイオン電池等の２次電池１５と、２次電池１５の充電の際に電力を供給する電源アダプタを接続する電源コネクタ１６とを有する。ヘッドバンド１Ｃは、その内部に、主回路基板１３とスピーカユニット１１Ｒとを電気的に接続して音声信号を伝搬する音声信号線１７と、電源回路基板１４と主回路基板１３とを電気的に接続して電力を供給する電源線１８とを有する。
【００２２】
図３は、第１の実施の形態に係る通信装置の構成例を示すブロック図である。
【００２３】
ヘッドホン１Ａの主回路基板１３は、高周波結合器１０に接続されて高周波信号のエンコード／デコードを行う高周波信号処理部１３ａと、デジタル音声信号をアナログ音声信号に変換するＤ／Ａ変換部１３ｂと、入力を音声／リモコン信号線１２からの入力信号Ａ（第１の音声信号）、又はＤ／Ａ変換部１３ｂからの入力信号Ｂ（第２の音声信号）のいずれかに切り替えるオーディオパス切替部１３ｃと、オーディオパス切替部１３ｃの出力する音声信号を増幅してスピーカユニット１１Ｌ、１１Ｒにそれぞれ出力する音声信号処理部としてのオーディオアンプ部１３ｄと、高周波信号処理部１３ａの制御によりリモコン信号を生成して音声／リモコン信号線１２を介して発信するリモコン信号発生部１３ｅとを有する。
【００２４】
図４は、第１の実施の形態に係る通信装置の構成例を示すブロック図である。
【００２５】
携帯電話２Ａは、高周波結合器２０と、高周波結合器２０に接続されて高周波信号のエンコード／デコードを行う高周波信号処理部２０ａと、出力をＤ／Ａ変換部２１ｃへの出力信号Ｃ（第４の音声信号）、又は高周波信号処理部２０ａへの出力信号Ｄ（第５の音声信号）のいずれかに切り替えるオーディオパス切替部２０ｂと、受話口２１に内蔵されるスピーカ部２１ａと、Ｄ／Ａ変換部２１ｃから入力される音声信号を増幅してスピーカ部２１ａに出力するオーディオアンプ部２１ｂと、オーディオパス切替部２０ｂから入力されるデジタル音声信号をアナログ音声信号に変換するＤ／Ａ変換部２１ｃと、送話口２２に内蔵されるマイク部２２ａと、マイク部２２ａから入力されるアナログ音声信号（第３の音声信号）をデジタル音声信号に変換するＡ／Ｄ変換部２２ｂと、携帯電話の電波を送受信するセルラアンテナ部２５と、セルラアンテナ部２５において送受信する電波によって遠隔地の利用者と通信するよう機能する携帯電話信号処理部としてのセルラ信号処理部２６と、各部を制御するＣＰＵ２７とを有する。
【００２６】
（動作）
以下に、第１の実施の形態における通信装置の動作を各図を参照しつつ説明する。
【００２７】
図１に示す状態において、音声再生装置３Ａは、例えば、本体内部に格納された記憶部の音声情報を再生し、音声信号を出力する。ヘッドホン１Ａは、音声再生装置３Ａが出力した音声信号を音声／リモコン信号線１２を介して受信し、オーディオパス切替部１３ｃ、オーディオアンプ部１３ｄの順で処理して、スピーカユニット１１Ｌ、１１Ｒから音声を出力する。
【００２８】
この際、高周波信号処理部１３ａは、外部の機器との通信の確立を検出していないため、オーディオパス切替部１３ｃに対する入力を音声／リモコン信号線１２からの入力信号Ａに設定する。
【００２９】
なお、携帯電話２Ａは、単独で使用される際、セルラ信号処理部２６の出力する音声信号は、オーディオパス切替部２０ｂ、Ｄ／Ａ変換部２１ｃ、オーディオアンプ部２１ｂの順で処理されて、スピーカ部２１ａから出力される。
【００３０】
また、携帯電話２Ａのセルラ信号処理部２６に入力する音声信号は、マイク部２２ａ、Ａ／Ｄ変換部２２ｂ、セルラ信号処理部２６の順で処理される。
【００３１】
図５は、第１の実施の形態に係る通信装置の動作例を示す概略図である。
【００３２】
図５に示す状態において、携帯電話２Ａに着信があったとき、又は携帯電話２Ａから発信するとき、利用者は、携帯電話２Ａの受話口２１をヘッドホン１Ａの左耳側筐体１Ｄに近づける。携帯電話２Ａとヘッドホン１Ａとが接近して、高周波結合器１０と２０は、例えば、３ｃｍ以内の距離に近づくことで、通信を確立して音声信号を送受信する。
【００３３】
この際、高周波信号処理部１３ａは、高周波結合器１０と２０との通信の確立を検出すると、オーディオパス切替部１３ｃを制御して、オーディオパス切替部１３ｃに対する入力をＤ／Ａ変換部１３ｂからの入力信号Ｂに設定する。また、高周波信号処理部１３ａは、リモコン信号発生部１３ｅを制御して、音声再生装置３Ａに対して再生を停止する信号を送信させる。
【００３４】
また同時に、高周波信号処理部２０ａは、高周波結合器１０と２０との通信の確立を検出すると、オーディオパス切替部２０ｂを制御して、オーディオパス切替部２０ｂの出力を高周波信号処理部２０ａへの出力信号Ｄに設定する。
【００３５】
その結果、携帯電話２Ａのセルラ信号処理部２６の出力する音声信号は、オーディオパス切替部２０ｂ、高周波信号処理部２０ａ、高周波結合器２０、高周波結合器１０、高周波信号処理部１３ａ、Ｄ／Ａ変換部１３ｂ、オーディオパス切替部１３ｃ、オーディオアンプ部１３ｄの順で処理されて、スピーカユニット１１Ｌ、１１Ｒから音声が出力される。
【００３６】
また、携帯電話２Ａのセルラ信号処理部２６に入力する音声信号は、マイク部２２ａ、Ａ／Ｄ変換部２２ｂ、セルラ信号処理部２６の順で処理される。
【００３７】
図６Ａは、第１の実施の形態に係る通信装置の動作を示すフローチャートである。
【００３８】
まず、高周波信号処理部１３ａは、通常利用時において、オーディオパス切替部１３ｃの入力を音声／リモコン信号線１２から入力される音声信号である入力信号Ａに設定する（Ｓ１０）。
【００３９】
次に、高周波信号処理部１３ａは、高周波結合器１０の状態を監視し、外部の高周波結合器２０と通信を確立したことを検出すると（Ｓ１１；Ｙｅｓ）、オーディオパス切替部１３ｃの入力をＤ／Ａ変換部１３ｂから入力される音声信号である入力信号Ｂに設定する（Ｓ１２）。
【００４０】
また、ステップＳ１１において、高周波結合器１０において通信の確立が検出されない場合は（Ｓ１１；Ｎｏ）、ステップＳ１０に戻り、オーディオパス切替部１３ｃの入力を入力信号Ａに設定する。
【００４１】
図６Ｂは、第１の実施の形態に係る通信装置の動作を示すフローチャートである。
【００４２】
まず、高周波信号処理部２０ａは、通常利用時において、オーディオパス切替部２０ｂの出力をＤ／Ａ変換部２１ｃに出力する音声信号である出力信号Ｃに設定する（Ｓ１５）。
【００４３】
次に、高周波信号処理部２０ａは、高周波結合器２０の状態を監視し、外部の高周波結合器１０と通信を確立したことを検出すると（Ｓ１６；Ｙｅｓ）、オーディオパス切替部２０ｂの出力を高周波信号処理部２０ａへ出力する音声信号である出力信号Ｄに設定する（Ｓ１７）。
【００４４】
また、ステップＳ１６において、高周波結合器２０において通信の確立が検出されない場合は（Ｓ１６；Ｎｏ）、ステップＳ１５に戻り、オーディオパス切替部２０ｂの出力を出力信号Ｃに設定する。
【００４５】
（第１の実施の形態の効果）
上記した実施の形態によると、ヘッドホン１Ａの左耳側筐体１Ｄに携帯電話２Ａをかざしたとき、つまり、ヘッドホン１Ａの高周波結合器１０と携帯電話２Ａの高周波結合器２０とが通信するとき、オーディオパス切替部１３ｃ、及びオーディオパス切替部２０ｂが音声信号の入力、及び出力を変更するため、ヘッドホン１Ａにおいて携帯電話２Ａと音声再生装置３Ａとの音声の聞き分けを容易に行うことができる。つまり、利用者は、ヘッドホン１Ａを装着したまま、携帯電話２Ａ、及び音声再生装置３Ａを利用することができる。
【００４６】
また、ペアリング及び暗号化等の認証処理を実施しない高周波結合器１０及び２０を用いたことで、携帯電話２Ａと音声再生装置３Ａとの切替の際に接続確立のための動作を必要としないため、切替動作に要する時間を短縮できる。また、機器間の登録を必要せずに通信を行うことができるため、任意の機器間同士で本実施の形態における動作を実施できる。
【００４７】
また、高周波結合器１０、及び高周波結合器２０を利用者の耳元に位置させることでそれぞれが通信を開始する構成であるため、携帯電話２Ａの操作感を損なわない。
【００４８】
なお、高周波信号処理部１３ａは、高周波結合器１０における通信が終了すると、リモコン信号発生部１３ｅを制御して、音声再生装置３Ａにおいて音声情報の再生を再開する信号を発信させてもよい。
【００４９】
また、ヘッドホン１Ａと音声再生装置３Ａとの通信は、音声／リモコン信号線１２を用いたもの以外に、Ｂｌｕｅｔｏｏｔｈ（登録商標）や無線ＬＡＮ等を用いた無線通信でもよい。
【００５０】
［第２の実施の形態］
図７は、第２の実施の形態に係る通信システムの構成例を示す概略図である。なお、以下の説明において、第１の実施の形態と同一の構成、及び機能を有する部分については共通の符号を付している。
【００５１】
ヘッドホン１Ｂは、音声／リモコン信号線１２にヘッドホン１Ｂの利用者の声を拾って音声信号を出力するマイク１９を有する。また、ヘッドホン１Ａと異なり、高周波結合器１０を備えない。
【００５２】
通信装置としての音声再生装置３Ｂは、高周波結合器２０と通信する高周波結合器３０を有する。
【００５３】
図８は、第２の実施の形態に係る通信装置の構成例を示すブロック図である。
【００５４】
音声再生装置３Ｂは、高周波結合器３０と、高周波結合器２０に接続されて高周波信号のエンコード／デコードを行う高周波信号処理部３０ａと、ヘッドホン１Ｂと接続される出力部としてのヘッドホンジャック３１ａと、出力する音声信号をヘッドホン１Ｂの特性に合わせて増幅するヘッドホンアンプ３１ｂと、オーディオパス切替部３６から入力されるデジタル音声信号をアナログ音声信号に変換するＤ／Ａ変換部３１ｃと、ヘッドホン１Ｂのマイク１９と接続される入力部としてのマイクジャック３２ａと、マイクから入力される音声信号を増幅するマイクアンプ３２ｂと、マイクアンプ３２ｂから入力されるアナログ音声信号をデジタル音声信号に変換するＡ／Ｄ変換部３２ｃと、各部を制御するＣＰＵ３３と、音声情報を格納するＨＤＤ３４と、ＨＤＤ３４に格納された音声情報をデコードして信号処理する音声情報再生処理部であるＭＰ３デコーダ３５ａを動作させるＤＳＰ（Ｄｉｇｉｔａｌ  Ｓｉｇｎａｌ  Ｐｒｏｃｅｓｓｏｒ）３５と、入力をＤＳＰ３５からの入力信号Ｅ（第７の音声信号）、又は高周波信号処理部３０ａからの入力信号Ｆ（第８の音声信号）に切り替えるオーディオパス切替部３６とを有する。
【００５５】
図９は、第２の実施の形態に係る通信装置の構成例を示すブロック図である。
【００５６】
携帯電話２Ｂは、入力をＡ／Ｄ変換部２２ｂからの入力信号Ｉ（第３の音声信号）、又は高周波信号処理部２０ａからの入力信号Ｊ（第６の音声信号）のいずれかに切り替えるオーディオパス切替部２０ｃと、出力をＤ／Ａ変換部２１ｃへの出力信号Ｇ（第４の音声信号）、又は高周波信号処理部２０ａへの出力信号Ｈ（第５の音声信号）のいずれかに切り替えるオーディオパス切替部２０ｄとを有する。
【００５７】
（動作）
以下に、第２の実施の形態における通信装置の動作を各図を参照しつつ説明する。
【００５８】
図７に示す状態において、音声再生装置３Ｂは、ＤＳＰ３５のＭＰ３デコーダ３５ａにおいてＨＤＤ３４の音声情報を再生し、オーディオパス切替部３６、Ｄ／Ａ変換部３１ｃ、ヘッドホンアンプ３１ｂの順で音声信号を処理し、ヘッドホンジャック３１ａから音声信号を出力する。ヘッドホン１Ｂは、音声再生装置３Ｂのヘッドホンジャック３１ａから出力した音声信号を音声／リモコン信号線１２を介して受信し、オーディオパス切替部１３ｃ、オーディオアンプ部１３ｄの順で処理して、スピーカユニット１１Ｌ、１１Ｒから音声を出力する。
【００５９】
この際、高周波信号処理部３０ａは、外部の機器との通信の確立を検出していないため、オーディオパス切替部３６に対する入力をＤＳＰ３５からの入力信号Ｅに設定する。
【００６０】
なお、携帯電話２Ｂは、単独で使用される際、セルラ信号処理部２６の出力する音声信号は、オーディオパス切替部２０ｃ、Ｄ／Ａ変換部２１ｃ、オーディオアンプ部２１ｂの順で処理されて、スピーカ部２１ａから音声が出力される。
【００６１】
また、携帯電話２Ｂのセルラ信号処理部２６に入力する音声信号は、マイク部２２ａ、Ａ／Ｄ変換部２２ｂ、オーディオパス切替部２０ｄ、セルラ信号処理部２６の順で処理される。
【００６２】
図１０は、第２の実施の形態に係る通信装置の動作例を示す概略図である。
【００６３】
図７に示す状態において、携帯電話２Ｂに着信があったとき、又は携帯電話２Ｂから発信するとき、利用者は、携帯電話２Ｂを音声再生装置３Ｂに近づける。高周波結合器２０と３０は、距離が３ｃｍ以内になると、通信を開始する。
【００６４】
この際、高周波信号処理部３０ａは、通信確立を検出すると、オーディオパス切替部３６を制御して、オーディオパス切替部３６に対する入力をＤＳＰからの入力信号Ｅから、高周波信号処理部３０ａからの入力信号Ｆに設定する。また、オーディオパス切替部３６は、マイクジャック３２ａ、マイクアンプ３２ｂ、Ａ／Ｄ変換部３２ｃの順で処理される音声信号を高周波信号処理部３０ａに入力する。
【００６５】
また同時に、高周波信号処理部２０ａは、通信確立を検出すると、オーディオパス切替部２０ｃを制御して、オーディオパス切替部２０ｃの出力を高周波信号処理部２０ａへの出力信号Ｈに設定する。また、オーディオパス切替部２０ｄを制御して、オーディオパス切替部２０ｄに対する入力を高周波信号処理部２０ａからの入力信号Ｊに設定する。なお、セルラ信号処理部２６は、オーディオパス切替部２０ｄの切り替えのタイミングで着信を受話してもよい。
【００６６】
以上の動作の結果、携帯電話２Ａのセルラ信号処理部２６の出力する音声信号は、オーディオパス切替部２０ｃ、高周波信号処理部２０ａ、高周波結合器２０、高周波結合器３０、高周波信号処理部３０ａ、オーディオパス切替部３６、Ｄ／Ａ変換部３１ｃ、ヘッドホンアンプ３１ｂの順で処理されて、ヘッドホンジャック３１ａから出力される。ヘッドホンジャック３１ａから出力された音声信号は、ヘッドホン１Ｂのスピーカユニット１１Ｌ、１１Ｒから音声として出力される。
【００６７】
また、携帯電話２Ａのセルラ信号処理部２６に入力する音声信号は、ヘッドホン１Ｂのマイク１９、音声／リモコン信号線１２、マイクジャック３２ａ、マイクアンプ３２ｂ、Ａ／Ｄ変換部３２ｃ、オーディオパス切替部３６、高周波信号処理部３０ａ、高周波結合器３０、高周波結合器２０、高周波信号処理部２０ａ、オーディオパス切替部２０ｃ、セルラ信号処理部２６の順で処理される。
【００６８】
図１１Ａは、第２の実施の形態に係る通信装置の動作を示すフローチャートである。
【００６９】
まず、高周波信号処理部３０ａは、通常利用時において、オーディオパス切替部３６の入力をＤＳＰ３５から入力される音声信号である入力信号Ｅに設定する（Ｓ２０）。
【００７０】
次に、高周波信号処理部３０ａは、高周波結合器３０の状態を監視し、外部の高周波結合器２０と通信を確立したことを検出すると（Ｓ２１；Ｙｅｓ）、オーディオパス切替部３６の入力を高周波信号処理部３０ａから入力される音声信号である入力信号Ｆに設定する（Ｓ２２）。
【００７１】
また、ステップＳ２１において、高周波結合器３０において通信の確立が検出されない場合は（Ｓ２１；Ｎｏ）、ステップＳ２０に戻り、オーディオパス切替部３６の入力を入力信号Ｅに設定する。
【００７２】
図１１Ｂは、第２の実施の形態に係る通信装置の動作を示すフローチャートである。
【００７３】
まず、高周波信号処理部２０ａは、通常利用時において、オーディオパス切替部２０ｄの入力をＡ／Ｄ変換部２２ｂから入力される音声信号である入力信号Ｉに設定するとともに、オーディオパス切替部２０ｃの出力をＤ／Ａ変換部２１ｃに出力する音声信号である出力信号Ｇに設定する（Ｓ２５）。
【００７４】
次に、高周波信号処理部２０ａは、高周波結合器２０の状態を監視し、外部の高周波結合器１０と通信を確立したことを検出すると（Ｓ２６；Ｙｅｓ）、オーディオパス切替部２０ｄの入力を高周波信号処理部２０ａから入力される音声信号である入力信号Ｊに設定するとともに、オーディオパス切替部２０ｂの出力を高周波信号処理部２０ａへ出力する音声信号である出力信号Ｈに設定する（Ｓ２７）。
【００７５】
また、ステップＳ２６において、高周波結合器２０において通信の確立が検出されない場合は（Ｓ２６；Ｎｏ）、ステップＳ２５に戻り、オーディオパス切替部２０ｄの入力を入力信号Ｉに設定するとともに、オーディオパス切替部２０ｃの出力を出力信号Ｇに設定する。
【００７６】
（第２の実施の形態の効果）
上記した実施の形態によると、音声再生装置３Ｂに対して携帯電話２Ｂをかざしたとき、つまり、音声再生装置３Ｂの高周波結合器３０と携帯電話２Ｂの高周波結合器２０とが通信するとき、オーディオパス切替部２０ｃ、２０ｄ、及びオーディオパス切替部３６が音声信号の入力、出力、及び入出力を変更するため、ヘッドホン１Ｂにおいて携帯電話２Ｂと音声再生装置３Ｂとの音声の聞き分けを容易に行うことができる。つまり、利用者は、ヘッドホン１Ｂを装着したまま、携帯電話２Ｂ、及び音声再生装置３Ｂを利用することができる。
【００７７】
なお、ヘッドホン１Ｂは、スピーカ及びマイクを備えていれば任意のヘッドホンを用いることができる。また、スピーカ及びマイクは、それぞれ別体として接続されていてもよい。
【００７８】
また、音声再生装置３Ｂの高周波結合器３０、高周波信号処理部３０ａ、及びオーディオパス切替部３６を独立させて通信装置を構成し、例えば、別体として音声再生装置に接続可能なドングルによって達成してもよい。これにより、汎用の音声再生装置において、通信機能及びオーディオパス切替機能を達成することができる。また、携帯電話２Ｂにおいても同様に通信装置を独立させてもよい。
【図面の簡単な説明】
【００７９】
【図１】第１の実施の形態に係る通信システムの構成例を示す概略図である。
【図２】第１の実施の形態に係る通信装置の構成例を示す断面図である。
【図３】第１の実施の形態に係る通信装置の構成例を示すブロック図である。
【図４】第１の実施の形態に係る通信装置の構成例を示すブロック図である。
【図５】第１の実施の形態に係る通信装置の動作例を示す概略図である。
【図６Ａ】第１の実施の形態に係る通信装置の動作を示すフローチャートである。
【図６Ｂ】第１の実施の形態に係る通信装置の動作を示すフローチャートである。
【図７】第２の実施の形態に係る通信システムの構成例を示す概略図である。
【図８】第２の実施の形態に係る通信装置の構成例を示すブロック図である。
【図９】第２の実施の形態に係る通信装置の構成例を示すブロック図である。
【図１０】第２の実施の形態に係る通信装置の動作例を示す概略図である。
【図１１Ａ】第２の実施の形態に係る通信装置の動作を示すフローチャートである。
【図１１Ｂ】第２の実施の形態に係る通信装置の動作を示すフローチャートである。
【符号の説明】
【００８０】
１Ａ…ヘッドホン、１Ｂ…ヘッドホン、１Ｃ…ヘッドバンド、１Ｄ…左耳側筐体、１Ｅ…右耳側筐体、２Ａ…携帯電話、２Ｂ…携帯電話、３Ａ…音声再生装置、３Ｂ…音声再生装置、１０…高周波結合器、１１Ｌ…スピーカユニット、１１Ｒ…スピーカユニット、１２…音声／リモコン信号線、１３…主回路基板、１３ａ…高周波信号処理部、１３ｂ…Ｄ／Ａ変換部、１３ｃ…オーディオパス切替部、１３ｄ…オーディオアンプ部、１３ｅ…リモコン信号発生部、１４…電源回路基板、１５…２次電池、１６…電源コネクタ、１７…音声信号線、１８…電源線、１９…マイク、２０…高周波結合器、２０ａ…高周波信号処理部、２０ｂ…オーディオパス切替部、２０ｃ…オーディオパス切替部、２０ｄ…オーディオパス切替部、２１…受話口、２１ａ…スピーカ部、２１ｂ…オーディオアンプ部、２１ｃ…Ｄ／Ａ変換部、２２…送話口、２２ａ…マイク部、２２ｂ…Ａ／Ｄ変換部、２３…表示部、２４…操作部、２５…セルラアンテナ部、２６…セルラ信号処理部、２７…ＣＰＵ、３０…高周波結合器、３０ａ…高周波信号処理部、３１ａ…ヘッドホンジャック、３１ｂ…ヘッドホンアンプ、３１ｃ…Ｄ／Ａ変換部、３２ａ…マイクジャック、３２ｂ…マイクアンプ、３２ｃ…Ａ／Ｄ変換部、３３…ＣＰＵ、３４…ＨＤＤ、３５…ＤＳＰ、３５ａ…ＭＰ３デコーダ、３６…オーディオパス切替部、１００Ａ…通信システム、１００Ｂ…通信システム
【図１】
2010050674.tif 000003
【図２】
2010050674.tif 000004
【図３】
2010050674.tif 000005
【図４】
2010050674.tif 000006
【図５】
2010050674.tif 000007
【図６Ａ】
2010050674.tif 000008
【図６Ｂ】
2010050674.tif 000009
【図７】
2010050674.tif 000010
【図８】
2010050674.tif 000011
【図９】
2010050674.tif 000012
【図１０】
2010050674.tif 000013
【図１１Ａ】
2010050674.tif 000014
【図１１Ｂ】
2010050674.tif 000015